(57)【要約】【課題】  良好なシルエットを形成することができ、かつ、既存の補整衣類等に比べて窮屈感を軽減することができる衣類を提供する。【解決手段】  伸縮性の本体部１０１と、本体部１０１よりも緊締力が強く本体部１０１よりも伸縮が抑制されたサポートライン部１０２とを備え、サポートライン部１０２は、少なくとも３個の伸縮抑制部Ｓが間隔をあけて非連続に配置されて構成されており、伸縮抑制部Ｓは、少なくとも脂肪沈着部位に対応する位置に設けられており、伸縮抑制部Ｓは、１個あたりの面積が１００ｃｍ２以上３００ｃｍ２以下であることを特徴とする。【選択図】  図１
2019173246.tif 000002
【特許請求の範囲】
【請求項１】
伸縮性の本体部と、前記本体部よりも緊締力が強く前記本体部よりも伸縮が抑制されたサポートライン部とを備え、
前記サポートライン部は、少なくとも３個の伸縮抑制部が間隔をあけて非連続に配置されて構成されており、
前記伸縮抑制部は、少なくとも脂肪沈着部位に対応する位置に設けられており、
前記伸縮抑制部は、１個あたりの面積が１００ｃｍ２以上３００ｃｍ２以下であることを特徴とする衣類。
【請求項２】
前記伸縮抑制部同士の間隙に、さらに補助サポート部が設けられていることを特徴とする、請求項１記載の衣類。
【請求項３】
前記伸縮抑制部の面積は、前記補助サポート部の面積の２．５倍以上３０倍以下であることを特徴とする、請求項２記載の衣類。
【請求項４】
前記補助サポート部は、前記伸縮抑制部と同じ素材からなるものであることを特徴とする、請求項２または３記載の衣類。
【請求項５】
前記衣類がボトム衣類であって、
前記本体部は、少なくとも着用者の腰部から大腿部の上部までを密着して被覆し、
前記伸縮抑制部は、腹部、腰部およびヒップ部に対応する位置を覆っており、
前記本体部の８０％伸長回復力が１００ｃＮ以上３２０ｃＮ以下であり、かつ、前記伸縮抑制部の８０％伸長回復力が前記本体部の伸縮回復力の１．１倍以上８．５倍以下であることを特徴とする、請求項１から４のいずれか一項に記載の衣類。
【請求項６】
前記衣類が上半身用衣類であって、
前記本体部は、着用者の上半身に密着する本体身頃であり、
前記伸縮抑制部は、腹部、バスト脇部、腰部および背部に対応する位置を覆っており、
前記本体部の３０％伸長回復力が３０ｃＮ以上１００ｃＮ以下であり、かつ、前記伸縮抑制部の３０％伸長回復力が前記本体部の伸縮回復力の１．１倍以上３．５倍以下であることを特徴とする、請求項１から４のいずれか一項に記載の衣類。
【発明の詳細な説明】
【技術分野】
【０００１】
本発明は、衣類に関する。
【背景技術】
【０００２】
身に着けた状態で着用部位の形状（弛み）や体型を補整する衣類においては、特定の箇所に他の部分と異なる締め付け力（着圧）を発生させて体型補整機能を与えるために、例えば、衣類本体と伸縮性の異なる部位（サポート部）を設ける構成が提案されている。例えば、特許文献１では、シェイプアップ対象部位に、衣服本体とは異なる伸縮性能を有する帯状体を設け、着用による帯状体部分の伸長が他の部分より抑制されるようにしたものが提案されている。
【先行技術文献】
【特許文献】
【０００３】
【特許文献１】特開平７−３５０５号公報
【発明の概要】
【発明が解決しようとする課題】
【０００４】
しかしながら、帯状に形成されたサポート部を有する場合、着用上の不具合が生じる場合がある。すなわち、帯状体の縁部で身体に食い込んだり、帯状にパワーがかかることにより、その部分の肉が押し出されて帯状体の両縁にはみ出して段状となる、いわゆる「肉段」が発生しやすかった。また、帯状にパワーがかかることによる窮屈さを感じやすく、日常での着用頻度が低くなりがちであった。
【０００５】
そこで、本発明は、良好なシルエットを形成することができ、かつ、既存の補整衣類等に比べて窮屈感を軽減することができる衣類を提供することを目的とする。
【課題を解決するための手段】
【０００６】
前記目的を達成するために、本発明の衣類は、伸縮性の本体部と、前記本体部よりも緊締力が強く前記本体部よりも伸縮が抑制されたサポートライン部とを備え、
前記サポートライン部は、少なくとも３個の伸縮抑制部が間隔をあけて非連続に配置されて構成されており、
前記伸縮抑制部は、少なくとも脂肪沈着部位に対応する位置に設けられており、
前記略円形の伸縮抑制部は、１個あたりの面積が１００ｃｍ２以上３００ｃｍ２以下であることを特徴とする。
【発明の効果】
【０００７】
本発明の衣類は、前記のような構成であり、良好なシルエットを形成することができ、かつ、既存の補整衣類等に比べて窮屈感を軽減することができる。
【図面の簡単な説明】
【０００８】
【図１】図１は、本発明の第１の実施形態に係るボトム衣類であるロングタイプのガードル１００を示す図である。図１（ａ）は、ロングタイプのガードル１００の正面斜視図、図１（ｂ）は、ロングタイプのガードル１００の背面斜視図である。
【図２】図２は、本発明におけるサポートライン部の効果を説明する図である。図２（ａ）は、本発明におけるサポートライン部を模式的に示す図である。図２（ｂ）は、従来の帯状の伸縮抑制部からなるサポートライン部を模式的に示す図である。
【図３】図３は、本発明の第２の実施形態に係る上半身用衣類であるトップス（タンクトップ）３００を示す図である。図３（ａ）は、タンクトップ３００の正面斜視図、図３（ｂ）は、タンクトップ３００の背面斜視図である。
【発明を実施するための形態】
【０００９】
本発明の衣類において、前記伸縮抑制部同士の間隙に、さらに補助サポート部が設けられていることが好ましい。
【００１０】
本発明の衣類において、前記伸縮抑制部の面積は、前記補助サポート部の面積の２．５倍以上３０倍以下であることが好ましい。
【００１１】
本発明の衣類において、前記補助サポート部は、前記伸縮抑制部と同じ素材からなるものであることが好ましい。
【００１２】
本発明の衣類において、前記衣類がボトム衣類であって、前記本体部は、少なくとも着用者の腰部から大腿部の上部までを密着して被覆し、前記伸縮抑制部は、腹部、腰部およびヒップ部に対応する位置を覆っており、前記本体部の８０％伸長回復力が１００ｃＮ以上３２０ｃＮ以下であり、かつ、前記伸縮抑制部の８０％伸長回復力が前記本体部の伸縮回復力の１．１倍以上８．５倍以下であることが好ましい。
【００１３】
本発明の衣類において、前記衣類が上半身用衣類であって、前記本体部は、着用者の上半身に密着する本体身頃であり、前記伸縮抑制部は、腹部、バスト脇部、腰部および背部に対応する位置を覆っており、前記本体部の３０％伸長回復力が３０ｃＮ以上１００ｃＮ以下であり、かつ、前記伸縮抑制部の３０％伸長回復力が前記本体部の伸縮回復力の１．１倍以上３．５倍以下であることが好ましい。
【００１４】
本発明の衣類について、例をあげて説明する。ただし、本発明は、以下の例に限定および制限されない。
【００１５】
（第１の実施形態）
図１に、本発明の第１の実施形態に係るボトム衣類であるロングタイプのガードル１００を示す。図１（ａ）は、ロングタイプのガードル１００の正面斜視図、図１（ｂ）は、ロングタイプのガードル１００の背面斜視図である。
【００１６】
図示のように、ロングタイプのガードル１００は、腰部から大腿部の上部までを被覆する本体部１０１および、本体部１０１の一部に配置されるサポートライン部１０２を備えている。本体部１０１は伸縮性であり、サポートライン部１０２は本体部１０１よりも緊締力が強く本体部１０１よりも伸縮が抑制されている。１本のサポートライン部１０２には、少なくとも３個の伸縮抑制部Ｓが、間隔をあけて非連続に配置されて構成されている。
【００１７】
サポートライン部１０２は、伸縮抑制部Ｓが仮想ラインを形成するように、少なくとも次に説明する脂肪沈着部位に対応する位置に設けられている。本実施形態においては、腰部上部を通るサポートライン部１０２Ａおよびヒップ部を通るサポートライン部１０２Ｂの２本のサポートライン部が設けられている。伸縮抑制部Ｓは、１個あたりの面積が１００ｃｍ２以上３００ｃｍ２以下であり、大面積で前記脂肪沈着部位を覆うことができるように形成することで、面で脂肪沈着部位をしっかりと押さえる効果を発現させることができる。
【００１８】
前記脂肪沈着部位とは、身体において皮下脂肪が沈着しやすい部位を指す。身体には、皮下脂肪のつきやすい箇所とつきにくい箇所とが存在する。例えば、年齢が高くなるにつれて、ヒップや腹部の形が変わってくることがあるが、この現象は局部的に皮下脂肪が沈着することによって生じるものである。皮下脂肪の沈着には個人差があるが、一般には、臀部（ヒップ部）、腰部、腹部、乳房、大腿、肩甲骨および上腕部、下腿（特にふくらはぎからアキレス腱）の順に脂肪の沈着は進むとされている（篠崎彰大著，「女のからだシリーズ  自分でつくる  ボディ」，株式会社マガジンハウス，１９９５年６月２２日，ｐ．６２−６３）。
【００１９】
本実施形態のロングタイプのガードル１００のように、ボトム衣類において、伸縮抑制部Ｓとしては、前記脂肪沈着部位のうち、腹部、腰部およびヒップ部に対応する位置を覆うことが好ましい。腰部上部を通るサポートライン部１０２Ａは、間隔をあけて非連続に配置された、腹部の伸縮抑制部Ｓ１および左右腰部の各伸縮抑制部Ｓ２の、３個の伸縮抑制部によって構成されている。そして、ヒップ部を通るサポートライン部１０２Ｂは、間隔をあけて非連続に配置された、腹部の伸縮抑制部Ｓ１、左右腰部の各伸縮抑制部Ｓ２およびヒップ部５か所に設けられた各伸縮抑制部Ｓ３およびＳ３´の、８個の伸縮抑制部によって構成されている。
【００２０】
図２は、本発明におけるサポートライン部の効果を説明する図である。図２（ａ）は、本発明におけるサポートライン部を模式的に示す図である。図２（ｂ）は、従来の帯状の伸縮抑制部からなるサポートライン部を模式的に示す図である。従来の帯状の伸縮抑制部からなるサポートライン部２０２は、帯状部面内に付与されるサポート力は均一である。また、帯状部の形状は変形しにくい。そのため、身体の動作に追随しにくく、皮膚が伸びる部分では身体への食い込みが生じたり、衣類にしわやつっぱりが生じたりしやすい。さらに、着用時に曲率の高くなる部位において力が集中して、肉が押し出されて帯状の周辺にはみだす、いわゆる「肉段」が形成されてしまう。そして、帯状部全体が伸びにくいため、窮屈な着用感となりがちである。それに対して、本発明におけるサポートライン部１０２では、少なくとも３個の伸縮抑制部Ｓが間隔をあけて非連続に配置されて構成されているため、楽な着用感を得ることができる。伸縮抑制部が図示したような略円形状の場合、伸縮抑制部Ｓ間の三角形状の部分（図中の網掛け部）は伸縮性の衣類本体部であるので、各伸縮抑制部Ｓで押さえた力が夫々の端部で分散するため、肉段を作りにくくなる。また、サポートライン部１０２の面形状が変形しやすいため、身体の動作にも追随しやすい。
【００２１】
伸縮抑制部Ｓの面積は、各部位によって異なる大きさであることが好ましい。脂肪沈着部位の大きさは、部位によって異なるが、脂肪沈着部位の大きさに合わせて伸縮抑制部Ｓを設けることで、ボディラインで気になる部分をしっかり押さえて、より楽な着用感と効果的な補整効果を両立させることができる。腹部の伸縮抑制部Ｓ１の面積は、１５０ｃｍ２以上２００ｃｍ２以下であることが好ましい。腰部の伸縮抑制部Ｓ２の面積は、２５０ｃｍ２以上３００ｃｍ２以下であることが好ましい。ヒップ部の伸縮抑制部Ｓ３の面積は、１００ｃｍ２以上１５０ｃｍ２以下であることが好ましい。なお、ヒップ部については、少なくとも脇側の伸縮抑制部Ｓ３があれば一定の効果が期待できるが、中央寄りの伸縮抑制部Ｓ３´をさらに有していてもよい。
【００２２】
本実施形態のロングタイプのガードル１００では、伸縮抑制部Ｓ同士の間隙に、さらに補助サポート部Ｔが設けられている。脂肪沈着部位を伸縮抑制部Ｓでしっかりと押さえ、伸縮抑制部Ｓの間（脂肪沈着部位間）を結ぶように補助サポート部Ｔを設けることで、ボディラインをよりスムーズにして、より良好なシルエットを形成することができる。補助サポート部Ｔの面積は伸縮抑制部Ｓの面積よりも小さいことが好ましく、伸縮抑制部Ｓの面積は、補助サポート部Ｔの面積の２．５倍以上３０倍以下であることが好ましい。
【００２３】
本体部１０１は、伸縮性を有する素材により構成されている。伸縮性を有する素材を用いることで、身体にフィットし、密着させることができる。伸縮性を有する素材としては、経編地または丸編地等が挙げられ、例えば、ツーウェイトリコット、ツーウェイラッセル、トリコネットあるいはベア天竺がある。サポートライン部１０２は、本体部１０１よりも緊締力が強く本体部１０１よりも伸縮が抑制されているが、伸縮抑制部Ｓを非伸縮性あるいは難伸縮性とすることが好ましい。このとき、伸縮抑制部Ｓ以外のサポートライン部１０２は、本体部と同一の素材を用いることができる。また、伸縮抑制部Ｓに、本体部１０１と同一の素材を用いて、前記素材を重ね合わせることで、本体部１０１よりも緊締力を強く、かつ、伸縮を抑制することも可能である。非伸縮性あるいは難伸縮性の素材としては、例えば、パワーネット、マーキゼットあるいはトリコットがある。
【００２４】
本実施形態において、サポートライン部１０２を構成する伸縮抑制部Ｓは、別部材を本体部１０１に縫着等の手段で取り付けて形成されている。伸縮抑制部Ｓと本体部１０１とは必ずしも縫着されている必要はなく、裏打ち、当て布、接ぎ等であってもよい。ただし、本発明はこれらに限られず、例えば樹脂を本体部１０１に塗布して伸縮性を下げることにより伸縮抑制部Ｓを形成してもよい。さらには、本体部１０１の組織を部分的に変更することによって伸縮性を下げることにより伸縮抑制部Ｓを形成してもよい。また、伸縮抑制部Ｓは、抜染または抜蝕加工を利用して形成してもよいし、編構造を部分的に変更するといった手法によって編地の伸縮性を変化させることによって形成してもよい。
【００２５】
本実施形態において伸縮抑制部Ｓ同士の間隙に設けられる補助サポート部Ｔは、上述の伸縮抑制部Ｓと同様に形成することが好ましく、伸縮抑制部Ｓと同じ素材を用いることができる。
【００２６】
本発明の衣類において、伸縮抑制部Ｓは、ボトム衣類の場合には、前記本体部の８０％伸長回復力が１００ｃＮ以上３２０ｃＮ以下であり、かつ、前記伸縮抑制部の８０％伸長回復力が前記本体部の伸縮回復力の１．１倍以上８．５倍以下であることが好ましい。。８０％伸長時の値を基準とする理由は、ボトム衣類着用時の伸度を想定したことによるものである。８０％伸長回復力は、次の試験方法によって得られる値である。
【００２７】
＜伸長回復性試験方法＞
試験片の形状は、長手方向の長さ１６０ｍｍとし、幅方向の長さ２５ｍｍとなる長方形状とするものを用いて行う。なお、引張速度は３００ｍｍ±２０ｍｍ／ｍｉｎ．とし、除荷速度は引張方向とは反対方向に引張速度と絶対値が同じ速度となるように設定する。
【００２８】
そして、試験片を自然長の８０％に相当する長さまで３回繰り返し引っ張り、このうち１回目と３回目の８０％伸長時の伸長力・回復力（緊迫力）を測定し、２回の平均値を伸長回復力とする。なお、試験片の上端部を２５ｍｍ掴み代とし、試験片の下端部を３５ｍｍ掴み代とする。すなわち、試験片の前記の自然長（掴み間隔）は１００ｍｍである。
【００２９】
本実施形態におけるロングタイプのガードルは、このようなサポートライン部１０２を備えることにより、以下に記載する効果を有する。ロングタイプのガードルを着用すると、サポートライン部１０２の伸縮抑制部Ｓが伸長し、強い緊締力が発生する。伸縮抑制部Ｓが覆っている脂肪沈着部位は、この緊締力によってしっかりと押さえられる。それと同時に、押し出された肉は、伸縮抑制部Ｓ間で分散されてスムーズに整えられる。したがって、肉段を作らずに、良好なシルエットが形成される。さらに、伸縮抑制部Ｓが間隔をあけて非連続に配置されているので、サポートライン部１０２は、動作に追随して変形しやすい。したがって、着用感が窮屈ではないので、一日中楽に着用することができる。例えば、締め付け感のある衣類を敬遠しがちな着用者も、本発明の衣類は抵抗感なく着用することができる。
【００３０】
図１におけるサポートライン部１０２に相当する領域に、連続した帯状のサポート部を有する従来のサポート機能を有する衣類では、サポート部が帯状に連続して形成されているため、動作による皮膚の伸び量が異なる部分間での衣類の追随が十分ではなく、しわやつっぱりが生じ、ひいては衣類が食い込んだりずり上がったりしやすかった。上述のように、伸縮抑制部を間隔をあけて非連続に配置することで、方向性を持ちながら力を分散させることができ、１個当たりの伸縮抑制部を大面積にしても窮屈感が強くなく、皮膚（身体）への追随を良好にすることができるとの知見が得られた。また、この知見によれば、従来の連続形成されたサポート部で生じやすかった、着用時の段差や食い込みが生じにくいという利点も見出すことができた。
【００３１】
（第２の実施形態）
図３に、本発明の第２の実施形態に係る上半身用衣類であるトップス（タンクトップ）３００を示す。図３（ａ）は、タンクトップ３００の正面斜視図、図３（ｂ）は、タンクトップ３００の背面斜視図である。本実施形態のタンクトップ３００は、伸縮性の本体部３０１と本体部３０１の一部に配置されるサポートライン部３０２を備えている。本実施形態において、本体部３０１は、着用者の上半身に密着する本体身頃である。そして、サポートライン部３０２は、本体部３０１よりも緊締力が強く本体部３０１よりも伸縮が抑制されている。１本のサポートライン部３０２には、少なくとも３個の伸縮抑制部Ｓが、間隔をあけて非連続に配置されて構成されている。
【００３２】
本実施形態のタンクトップ３００のように、上半身用衣類において、伸縮抑制部Ｓとしては、前記脂肪沈着部位のうち、腹部、腰部および背部（肩甲骨部）に対応する位置を覆うことが好ましい。腰部上部を通るサポートライン部３０２Ａは、間隔をあけて非連続に配置された、腹部の伸縮抑制部Ｓ４および左右腰部の各伸縮抑制部Ｓ５の、３個の伸縮抑制部によって構成されている。そして、腹部からバスト脇部を経由し背中の上部を通るサポートライン部３０２Ｂは、間隔をあけて非連続に配置された、腹部の伸縮抑制部Ｓ４、左右背部の各伸縮抑制部Ｓ６の、３個の伸縮抑制部によって構成されている。
【００３３】
上半身用衣類においても、伸縮抑制部Ｓの面積は、各部位によって異なる大きさであることが好ましい。腹部の伸縮抑制部Ｓ４の面積は、８０ｃｍ２以上１３０ｃｍ２以下であることが好ましい。腰部の伸縮抑制部Ｓ５の面積は、１５０ｃｍ２以上２００ｃｍ２以下であることが好ましい。背部の伸縮抑制部Ｓ６の面積は、１３０ｃｍ２以上１８０ｃｍ２以下であることが好ましい。
【００３４】
本発明の衣類において、伸縮抑制部Ｓは、上半身用衣類の場合には、前記本体部の３０％伸長回復力が３０ｃＮ以上１００ｃＮ以下であり、かつ、前記伸縮抑制部の３０％伸長回復力が前記本体部の伸縮回復力の１．１倍以上３．５倍以下であることが好ましい。３０％伸長時の値を基準とする理由は、上半身用衣類着用時の伸度を想定したことによるものである。上半身用衣類の場合には、下半身用衣類と比べて、全体的に伸縮抑制部と本体部との伸長回復力の差が小さくても良好な結果が得られており、上半身衣類は、より楽な着用感で良好なシルエットが得られると言える。３０％伸長回復力は、次の試験方法によって得られる値である。
【００３５】
＜伸長回復性試験方法＞
試験片の形状は、長手方向の長さ１６０ｍｍとし、幅方向の長さ２５ｍｍとなる長方形状とするものを用いて行う。なお、引張速度は３００ｍｍ±２０ｍｍ／ｍｉｎ．とし、除荷速度は引張方向とは反対方向に引張速度と絶対値が同じ速度となるように設定する。
【００３６】
そして、試験片を自然長の８０％に相当する長さまで３回繰り返し引っ張り、このうち１回目と３回目の３０％伸長時の伸長力・回復力（緊迫力）を測定し、２回の平均値を伸長回復力とする。なお、試験片の上端部を２５ｍｍ掴み代とし、試験片の下端部を３５ｍｍ掴み代とする。すなわち、試験片の前記の自然長（掴み間隔）は１００ｍｍである。
【００３７】
本実施形態のタンクトップ３００では、伸縮抑制部Ｓ同士の間隙に、さらに補助サポート部Ｔが設けられている。脂肪沈着部位を伸縮抑制部Ｓでしっかりと押さえ、伸縮抑制部Ｓの間（脂肪沈着部位間）を結ぶように補助サポート部Ｔを設けることで、ボディラインをよりスムーズにして、より良好なシルエットを形成することができる。特に、上半身用衣類においては、背部の脂肪沈着部位を押さえる際に、横方向に一周するようにサポートライン部を設けると、バストを押さえてしまうことになる。そこで、腹部からバスト脇部を経由して背中上部の背部の伸縮抑制部Ｓ６を通るようにサポートライン部３０２Ｂを形成することが好ましい。腹部の伸縮抑制部Ｓ４と背部の伸縮抑制部Ｓ６とは、離れているが、補助サポート部Ｔを複数設けて間のラインを結ぶことによって、サポートライン部３０２Ｂを構成する各伸縮抑制部Ｓ４、Ｓ６を連続的に押さえることができる。
【００３８】
本実施形態のタンクトップ３００は、上記の構成を有することで、以下に記載する効果を有する。タンクトップ３００を着用すると、サポートライン部３０２の伸縮抑制部Ｓが伸長し、強い緊締力が発生する。伸縮抑制部Ｓが覆っている脂肪沈着部位は、この緊締力によってしっかりと押さえられる。それと同時に、押し出された肉は、伸縮抑制部Ｓ間で分散されてスムーズに整えられる。したがって、肉段を作らずに、良好なシルエットが形成される。さらに、伸縮抑制部Ｓが間隔をあけて非連続に配置されているので、サポートライン部３０２は、動作に追随して変形しやすい。したがって、着用感が窮屈ではないので、一日中楽に着用することができる。例えば、締め付け感のある衣類を敬遠しがちな着用者も、本発明の衣類は抵抗感なく着用することができる。
【００３９】
本実施形態において、本体身頃３０１に使用できる素材は、伸縮性を有する素材であれば特に制限されず、第１の実施形態の本体部１０１と同様の素材を用いることができる。また、伸縮抑制部Ｓおよび補助サポート部Ｔは、第１の実施形態の伸縮抑制部Ｓおよび補助サポート部Ｔと同様に形成することができる。
【００４０】
なお、本実施形態では、上半身用衣類をタンクトップ３００とした例を挙げて説明したが、本発明はこれに限定されるものではない。本発明において、前記衣類は、例えば、半袖シャツでもよいし、長袖シャツとしてもよい。これらの場合にも、本実施形態に係るタンクトップ３００と同様の効果を得ることができる。
【００４１】
（着用評価）
ボトム衣類および上半身用衣類について、本体部および伸縮抑制部を次表の組み合わせとした試作品を作製し、着用評価試験を行った。ボトム衣類の本体部および伸縮抑制部の組み合わせを表１に、上半身用衣類の本体部および伸縮抑制部の組み合わせを表２に示す。
【００４２】
【表１】
2019173246.tif 000003
【００４３】
【表２】
2019173246.tif 000004
【００４４】
ボトム衣類の本体部および伸縮抑制部の８０％伸長回復力を、それぞれ「たて」、「よこ」、「ななめ」の三方向について測定した結果を表３に示す。あわせて、本体部に対する伸縮抑制部の伸長回復力の倍率を示す。前記「たて」、「よこ」、「ななめ」は、生地の編方向を「たて」、編方向と直交する方向を「よこ」、編方向から４５°傾けた方向を「ななめ」としている。なお、伸縮抑制部を当て布の形で設けた場合、本体部の方向と伸縮抑制部の方向を一致させている。
【００４５】
【表３】
2019173246.tif 000005
【００４６】
上半身用衣類の本体部および伸縮抑制部の３０％伸長回復力を、それぞれ「たて」、「よこ」、「ななめ」の三方向について測定した結果を表４に示す。あわせて、本体部に対する伸縮抑制部の伸長回復力の倍率を示す。前記「たて」、「よこ」、「ななめ」は、生地の編方向を「たて」、編方向と直交する方向を「よこ」、編方向から４５°傾けた方向を「ななめ」としている。なお、伸縮抑制部を当て布の形で設けた場合、本体部の方向と伸縮抑制部の方向を一致させている。
【００４７】
【表４】
2019173246.tif 000006
【００４８】
各試作品について、製品の引張特性が近い従来品（比較品）と比較し、「楽な着用感」と「補整感」の２つの観点において、一方の観点が優位であり、他方の観点が同等もしくは優位である場合を「Ｇ」とし、８割以上の着用者が「Ｇ」と判定した場合、従来品よりも優れていると評価した。着用評価は、ボトム衣類について１０名、上半身用衣類について１２名の着用者で行った。その結果、ボトム衣類については、Ｎｏ．Ｂ−１、Ｎｏ．Ｂ−２、Ｎｏ．Ｂ−３の３種について、従来品よりも優れているとの結果となった。また、上半身用衣類については、Ｎｏ．Ｔ−１、Ｎｏ．Ｔ−２、Ｎｏ．Ｔ−３、Ｎｏ．Ｔ−４、Ｎｏ．Ｔ−５の５種について、従来品よりも優れているとの結果となった。
【００４９】
また、伸縮抑制部が間隔をあけて非連続に配置した本発明品と、伸縮抑制部を連続に配置した比較品とを用いて着用試験を行った。その結果、着用者１０名で、「楽な着用感」と「補整感」があると答えたのは、
本発明品    上半身用衣類：  ９／１０      下半身用衣類：  ６／１０
比較品      上半身用衣類：  ０／１０      下半身用衣類：  １／１０
であった。以上の結果より、本発明の衣類のように伸縮抑制部が間隔をあけて非連続に配置されて構成されていれば、伸縮抑制部が連続に配置されて構成された比較品と比べて、「楽な着用感」と「補整感」が得られるという効果を有する。
【００５０】
以上、本発明の具体例として、ロングタイプのガードルおよびタンクトップを挙げて本発明を説明したが、本発明の衣類は、これらの具体例で記載されたもののみに限定されるものではなく、種々の態様が可能である。例えば、上記の実施形態のような衣類以外にも、タイツ、水着、半袖シャツ、長袖シャツ、ボタン等で着脱が可能な上着等の衣類、ボディスーツ、肌着、スポーツ衣類、医療用衣類（サポーター）、その他各種の衣類に適用できる。
【符号の説明】
【００５１】
１００  ロングタイプのガードル
１０１  本体部
１０２、１０２Ａ、１０２Ｂ  サポートライン部
３００  タンクトップ（トップス）
３０１  本体部（本体身頃）
３０２、３０２Ａ、３０２Ｂ  サポートライン部
Ｓ、Ｓ１、Ｓ２、Ｓ３、Ｓ３´、Ｓ４、Ｓ５、Ｓ６  伸縮抑制部
Ｔ  補助サポート部
【図１】
2019173246.tif 000007
【図２】
2019173246.tif 000008
【図３】
2019173246.tif 000009